(57)【要約】【課題】スピーディに毛染めが完了する技術を提供することである。【解決手段】櫛歯体と紫外線発生素子とを具備してなり、前記紫外線発生素子からの紫外線が前記櫛歯体の櫛歯先端側に向かって照射されるよう構成されてなる毛染器具。【選択図】図１
2016013372.tif 000002
【特許請求の範囲】
【請求項１】
櫛歯体と、
紫外線発生素子
とを具備してなり、
前記紫外線発生素子からの紫外線が前記櫛歯体の櫛歯先端側に向かって照射されるよう構成されてなる
ことを特徴とする毛染器具。
【請求項２】
前記櫛歯体は第１櫛歯体と第２櫛歯体とを具備し、
前記櫛歯は第１櫛歯と第２櫛歯とを具備し、
前記第１櫛歯は前記第１櫛歯体に設けられたものであり、
前記第２櫛歯は前記第２櫛歯体に設けられたものであり、
前記櫛歯体は前記第１櫛歯体と前記第２櫛歯体との合体によって構成されたものであり、
前記紫外線発生素子は前記第１櫛歯体と前記第２櫛歯体との合体によって構成された空間内に設けられてなる
ことを特徴とする請求項１の毛染器具。
【請求項３】
送風手段を更に具備してなり、
前記送風手段からの空気が前記櫛歯体の櫛歯先端側に向かって送風されるよう構成されてなる
ことを特徴とする請求項１又は請求項２の毛染器具。
【請求項４】
紫外線照射によって所定の色に変色する毛染剤が用いられて毛染作業が行われるに際して用いられる毛染器具である
ことを特徴とする請求項１〜請求項３いずれかの毛染器具。
【請求項５】
片手で持つことが出来るサイズの毛染器具である
ことを特徴とする請求項１〜請求項４いずれかの毛染器具。
【発明の詳細な説明】
【技術分野】
【０００１】
本発明は毛染器具に関する。
【背景技術】
【０００２】
近年、太陽光が当たると変色する毛染剤が市販されている。例えば、銀イオンを含有している毛染剤が市販されている。白髪個所に塗布された前記毛染剤に太陽光（紫外線）が当たると、銀イオンが酸化し、酸化銀の生成によって、白髪の髪が褐色になる（毛染がなされる）と言う次第である。
【先行技術文献】
【特許文献】
【０００３】
【特許文献１】特開２００６−３４５８９８号公報
【特許文献２】特開２０１２−４１２号公報
【発明の概要】
【発明が解決しようとする課題】
【０００４】
ところで、太陽光（紫外線）の照射による銀イオンの酸化（毛染め：変色：発色）は時間が掛る。白髪が、前記毛染剤によって、直ちに、黒髪（褐色髪）に染まるものではない。数日も経過して、白髪が、やっと、黒髪（褐色髪）に染まると言ったことも有る。特に、白髪の根本部分に前記毛染剤が塗られていても、前記根本部分に太陽光（紫外線）が当たり難いことも有って、白髪の根本部分は黒髪（褐色髪）に染まり難い。この為、どうしても、不満が溜まってしまう。
【０００５】
従って、本発明が解決しようとする課題は上記問題点を解決することである。すなわち、本発明が解決しようとする課題は、スピーディに毛染めが完了する技術を提供することである。
【課題を解決するための手段】
【０００６】
前記の課題は、
櫛歯体と、
紫外線発生素子
とを具備してなり、
前記紫外線発生素子からの紫外線が前記櫛歯体の櫛歯先端側に向かって照射されるよう構成されてなる
ことを特徴とする毛染器具によって解決される。
【０００７】
前記の課題は、前記毛染器具であって、好ましくは、
前記櫛歯体は第１櫛歯体と第２櫛歯体とを具備し、
前記櫛歯は第１櫛歯と第２櫛歯とを具備し、
前記第１櫛歯は前記第１櫛歯体に設けられたものであり、
前記第２櫛歯は前記第２櫛歯体に設けられたものであり、
前記櫛歯体は第１櫛歯体と第２櫛歯体との合体によって構成されたものであり、
前記紫外線発生素子は第１櫛歯体と第２櫛歯体との合体によって構成された空間内に設けられてなる
ことを特徴とする毛染器具によって解決される。
【０００８】
前記の課題は、前記毛染器具であって、好ましくは、紫外線照射によって所定の色に変色する毛染剤が用いられて毛染作業が行われるに際して用いられる毛染器具であることを特徴とする毛染器具によって解決される。
【０００９】
前記の課題は、前記毛染器具であって、好ましくは、片手で持つことが出来るサイズの毛染器具であることを特徴とする毛染器具によって解決される。
【００１０】
前記の課題は、前記毛染器具であって、好ましくは、送風手段を更に具備してなり、前記送風手段からの空気が前記櫛歯体の櫛歯先端側に向かって送風されるよう構成されてなることを特徴とする毛染器具によって解決される。
【発明の効果】
【００１１】
白髪が、短時間の中に、染まる。特に、白髪の根本部分も効果的に染まる。
【図面の簡単な説明】
【００１２】
【図１】本発明になる毛染器具の分解状態での斜視図
【図２】本発明になる毛染器具の組立状態での斜視図
【発明を実施するための形態】
【００１３】
本発明は毛染器具である。特に、紫外線照射によって所定の色に変色する毛染剤が用いられて毛染作業が行われるに際して用いられる毛染器具である。前記毛染剤には、例えば金属イオン（例えば、銀イオン、銅イオン等）が含まれている。前記毛染器具は、例えば片手で持つことが出来るサイズ（小型サイズ）である。携帯できる小型サイズである。例えば、太さが１〜２ｃｍ程度、全長が１０ｃｍ程度と言ったサイズである。ハンドバッグ等に簡単に入る程度の大きさである。前記毛染器具は櫛歯体を具備する。前記毛染器具は紫外線発生素子（例えば、紫外線ＬＥＤ）を具備する。前記紫外線発生素子（例えば、紫外線ＬＥＤ）からの紫外線が前記櫛歯体の櫛歯先端側に向かって照射されるよう構成されている。これによって、紫外線が、効果的に、髪の根本部分にも照射される。白髪に塗布された毛染剤（紫外線照射変色タイプの毛染剤）に紫外線が、効果的に、当たることから、スピーディに、白髪が染まる。特に、毛が櫛歯によって分けられているから、毛の根本部分にまで紫外線が効果的に当たる。従って、白髪は根本部分も染まるようになる。
【００１４】
前記櫛歯体は、例えば第１櫛歯体と第２櫛歯体とを具備している。前記櫛歯は、例えば第１櫛歯と第２櫛歯とを具備している。前記第１櫛歯は前記第１櫛歯体に設けられたものである。前記第２櫛歯は前記第２櫛歯体に設けられたものである。前記櫛歯体は、例えば第１櫛歯体と第２櫛歯体との合体によって構成されたものである。前記紫外線発生素子は、例えば第１櫛歯体と第２櫛歯体との合体によって構成された空間内に設けられている。
【００１５】
前記毛染器具は、例えば送風手段を具備している。そして、前記送風手段からの空気が前記櫛歯体の櫛歯先端側に向かって送風されるよう構成されている。送風によって、毛が分けられるようになるから、毛の根本部分に紫外線が効果的に当たる。従って、白髪は根本部分も染まるようになる。
【００１６】
以下、更に詳しく説明する。
【００１７】
図１は本発明になる毛染器具の分解状態での斜視図、図２は組立状態での斜視図である。
【００１８】
各図中、Ａは毛染器具である。毛染器具Ａは、大別して、先端側の櫛歯体１と、後端側の把持部２とを具備する。
【００１９】
櫛歯体１は、櫛歯半体（第１櫛歯体）３ａと、櫛歯半体（第２櫛歯体）３ｂとの合体で構成される。櫛歯半体３ａ，３ｂは樹脂材を用いて所望の形状に成型されたものである。櫛歯半体３ａの先端下端側（図１では下側。図２では上側）は櫛歯形状に成型されており、櫛歯部４ａが構成されている。櫛歯半体３ｂの先端下端側（図１では下側。図２では上側）も櫛歯形状に成型されており、櫛歯部４ｂが構成されている。櫛歯半体３ａと櫛歯半体３ｂとを合体して櫛歯体１を構成した場合、櫛歯部４ａと櫛歯部４ｂとが対向し、かつ、櫛歯部４ａと櫛歯部４ｂとは所望の間隙を有するものとなるよう構成されている。櫛歯部４ａと櫛歯部４ｂとの間の間隙（空間）において、櫛歯体１の長手方向に沿って、幾つかの紫外線ＬＥＤ５が設けられている。紫外線ＬＥＤ５のスイッチがオンになった場合、紫外線ＬＥＤ５は発光し、紫外線が照射される。紫外線の照射方向は、櫛歯部４ａ，４ｂの櫛歯方向である。すなわち、櫛歯部４ａと櫛歯部４ｂとの間の位置において、櫛歯部４ａ，４ｂの櫛歯方向に沿って、櫛歯先端側に向かって、櫛歯半体３ａと櫛歯半体３ｂとの間の開口部４ｃから、紫外線が照射されるように紫外線ＬＥＤ５は設けられている。
【００２０】
把持部２は筒体（円筒体）である。この筒体（把持部）２は、絶縁性の樹脂からなる内層筒体１０と、例えばＡｌ製の外層筒体１１とから構成されている。内層筒体１０は内層筒半体１０ａと内層筒半体１０ｂとで構成されている。内層筒半体１０ａと内層筒半体１０ｂとを合体させることにより、円筒状の内層筒体１０が構成される。内層筒半体１０ａの先端側に櫛歯半体３ａが接続一体化できるよう構成されている。内層筒半体１０ｂの先端側に櫛歯半体３ｂが接続一体化できるよう構成されている。櫛歯半体３ａが接続一体化された内層筒半体１０ａと、櫛歯半体３ｂが接続一体化された内層筒半体１０ｂとを合体した場合、内層筒半体１０ａと内層筒半体１０ｂとで内層筒体１０が構成されると共に、櫛歯半体３ａと櫛歯半体３ｂとで櫛歯体１が構成される。勿論、この時、櫛歯部４ａと櫛歯部４ｂとが対向し、かつ、櫛歯部４ａと櫛歯部４ｂとは所望の間隙を有するものとなるよう構成されている。尚、櫛歯半体３ａと内層筒半体１０ａとが、又、櫛歯半体３ｂと内層筒半体１０ｂとが一体成型されたものであっても、別体で成型後に結合されたものであっても良い。
【００２１】
１２は電池である。この電池１２は内層筒体１０内に装填されている。
【００２２】
１４はファン装置（送風装置）である。このファン装置１４のファン部１４ａは櫛歯体１の最内奥部に配設されており、モータ部１４ｂは内層筒体１０内側に配設されている。櫛歯体１と内層筒体１０とを仕切る天板部に孔が形成されており、この孔にモータ部１４ｂのモータ軸が配設されている。このモータ軸はファン部１４ａに連結されており、モータの回転によってファン部１４ａの羽根が回転する。ファン部１４ａの羽根が回転すると、櫛歯体１の周壁面に形成されているスリット１５から内部に空気が吸い込まれるように構成されている。この吸い込まれた空気は、ファン部１４ａの羽根によって、先端側（櫛歯体１の櫛歯部４ａ，４ｂ側）に送出される。送出された空気は、櫛歯半体３ａと櫛歯半体３ｂとの間の開口部４ｃから、外部に吐き出される。
【００２３】
１６はスイッチ部である。スイッチ部１６が押されると、電池１２に接続されている紫外線ＬＥＤ５及びファン装置１４が作動する。すなわち、紫外線ＬＥＤ５は紫外線を発光する。これによって、櫛歯部４ａと櫛歯部４ｂとの間の位置において、櫛歯部４ａ，４ｂの櫛歯方向に沿って、櫛歯先端側（開口部４ｃ）に向かって、紫外線が照射される。又、ファン装置１４が空気を送出する。これによって、櫛歯部４ａと櫛歯部４ｂとの間の位置において、櫛歯部４ａ，４ｂの櫛歯方向に沿って、櫛歯先端側（開口部４ｃ）に向かって、空気が吐出される。この空気が櫛歯部４ａ，４ｂによって梳かれた髪に当たることから、紫外線ＬＥＤ５からの紫外線が髪の根本部分にも効果的に当たる。従って、この個所に塗布されている毛染剤に紫外線が効果的に当たる。この結果、毛染剤はスピーディに発色（変色）し、白髪がスピーディ、かつ、効果的に染まる。
【００２４】
１８は筒体（把持部）２の後方開口部を塞ぐ蓋体であり、この蓋体１８には内部に収納された電池１２（電池１２の負極）との接続用のコイルスプリングが取り付けられている。
【符号の説明】
【００２５】
Ａ                毛染器具
１                櫛歯体
２                把持部（筒体）
３ａ              櫛歯半体（第１櫛歯体）
３ｂ              櫛歯半体（第２櫛歯体）
４ａ，４ｂ        櫛歯部
４ｃ              開口部
１０              絶縁性樹脂内層筒体
１０ａ，１０ｂ    内層筒半体
１１              外層筒体
１２              電池
１４              ファン装置
１４ａ            ファン部
１４ｂ            モータ部
１５              スリット
１６              スイッチ部
１８              蓋体
【図１】
2016013372.tif 000003
【図２】
2016013372.tif 000004